(57)【要約】【課題】  特別な薬剤を用いない空気清浄器を提供すること。【解決手段】  本発明の空気清浄器は、臭気化合物を含んだエアーと水とを接触させて臭気化合物を水に捕捉させる接触手段と、接触手段において臭気化合物を捕捉した水に超音波振動を付与する振動付与手段と、を有することを特徴とする。本発明の空気清浄器は、臭気化合物を水で捕捉し、臭気化合物を捕捉した水に超音波振動を付与することで臭気化合物を分解浄化するため特別な薬剤を必要としていない。この結果、薬剤を用いることで生じていた不具合が起こらなくなっている。【選択図】  なし【特許請求の範囲】
【請求項１】
臭気化合物を含んだエアーと水とを接触させて該臭気化合物を水に捕捉させる接触手段と、
該接触手段において該臭気化合物を捕捉した水に超音波振動を付与する振動付与手段と、
を有することを特徴とする空気清浄器。
【請求項２】
前記超音波振動は、２０ＫＨｚ以上の振動である請求項１記載の空気清浄器。
【請求項３】
前記振動付与手段は、
前記臭気化合物を捕捉した水を貯留する水槽と、
該水槽と一体にもうけられ該水槽を振動させる超音波振動子と、
を有する請求項１記載の空気清浄器。
【請求項４】
前記接触手段は、前記エアー中に水を噴霧する噴霧装置である請求項１記載の空気清浄器。
【請求項５】
前記接触手段は、
その外表面に沿って水が流れる通気性をもつ捕集部材と、
該捕集部材の表面に水を供給する水供給装置と、
を有する請求項１記載の空気清浄器。
【請求項６】
前記振動付与手段は、
通気性を有し、前記臭気化合物を捕捉した水が付着する通気性部材と、
該通気性部材を振動させる超音波振動子と、
を有する請求項１記載の空気清浄器。
【請求項７】
前記臭気化合物を捕捉した水であって超音波振動を付与された水を前記接触手段に循環させる循環手段を有する請求項１記載の空気清浄器。
【請求項８】
前記エアーの流れ方向の下流にミスト除去手段をもつ請求項１記載の空気清浄器。
【請求項９】
前記接触手段に前記臭気化合物を含むエアーを送風する送風手段を有する請求項１記載の空気清浄器。
【請求項１０】
前記接触手段は、前記エアー中の水を凝縮させる凝縮手段である請求項１記載の空気清浄器。
【請求項１１】
前記振動付与手段は、前記凝縮手段と一体にもうけられ該凝縮手段を振動させる超音波振動子である請求項１０記載の空気清浄器。
【発明の詳細な説明】
【技術分野】
【０００１】
本発明は、空気清浄器に関し、詳しくは、エアーに含まれる臭気化合物を水で捕捉しその水を処理することで臭気化合物を除去する空気清浄器に関する。
【背景技術】
【０００２】
大気中には、微細な粉塵等の汚染物質が含まれている。近年の環境の清浄化における要求においては、この汚染物質を除去することが求められている。大気中の汚染物質の除去は空気清浄器により行われる。汚染物質の除去を行う空気清浄器は、たとえば、特許文献１に開示されている。
【０００３】
特許文献１には、散水装置により水を悪臭ガスに散布して悪臭ガスを除去し、悪臭ガスが溶解した水に臭素系の酸化剤を発生させることで水を浄化し、散水装置に供給する脱臭装置が開示されている。特許文献１に記載された脱臭装置は、酸化剤の原材料としてヨウ素を含む薬品を備える必要があり、このヨウ素による二次汚染のおそれがあった。さらに、酸化剤を含む水が悪臭ガスと接触するため、悪臭ガスの流れにのって酸化剤が拡散するおそれもあった。
【特許文献１】特開２００３−１０３１３７号公報
【発明の開示】
【発明が解決しようとする課題】
【０００４】
本発明は上記実状に鑑みてなされたものであり、特別な薬剤を用いない空気清浄器を提供することを課題とする。
【課題を解決するための手段】
【０００５】
上記課題を解決するために本発明者らは検討を重ねた結果、前記臭気化合物を捕捉した水に超音波振動を付与して臭気化合物を分解浄化する空気清浄器とすることで上記課題を解決できることを見出した。
【０００６】
すなわち、本発明の空気清浄器は、臭気化合物を含んだエアーと水とを接触させて臭気化合物を水に捕捉させる接触手段と、接触手段において臭気化合物を捕捉した水に超音波振動を付与する振動付与手段と、を有することを特徴とする。
【発明の効果】
【０００７】
本発明の空気清浄器は、臭気化合物を捕捉した水に超音波振動を付与することで捕捉された臭気化合物を分解浄化している。すなわち、水以外の特別な薬剤を必要としていない。このことは、薬剤が外部に漏出することによる二次汚染を生じさせないことを示す。また、薬剤を必要としないことで、薬剤に要していたコストを必要としなくなるため、空気清浄器のコストを低減できることを示す。さらに、薬剤の貯留や保持が必要でなくなることから、貯留や保持のためのスペースをなくすことができ、空気清浄器の体格を低減できる効果を発揮する。
【発明を実施するための最良の形態】
【０００８】
本発明の空気清浄器は、接触手段と、振動付与手段と、を有する。
【０００９】
接触手段は、気化合物を含んだエアーと水とを接触させて臭気化合物を水に捕捉させる手段である。エアーと水とが気液接触をすると、エアー中の臭気化合物と水滴とが接触し、臭気化合物が水滴中に溶解あるいは分散する。また、臭気化合物が大きな分子である場合には、臭気化合物に水滴が付着し、臭気化合物全体の重量が増加し、重力により下降する。すなわち、臭気化合物が水に捕捉される。
【００１０】
本発明の空気清浄器により分解浄化される臭気化合物は、特に限定されるものではない。たとえば、アセトアルデヒド、ホルムアルデヒド、酢酸等の揮発性有機化合物（ＶＯＣ）、アンモニアやＮＯｘ，ＳＯｘをあげることができる。
【００１１】
また、接触手段によりエアーに接触する水は、水（Ｈ2Ｏ）だけでなく、臭気化合物の種類によってはそのｐＨを調整した水を用いてもよい。
【００１２】
接触手段は、臭素化合物を含んだエアーと水とを接触させる（気液接触が生じる）ことができる手段であればよい。エアーと水との接触量（接触面積）が大きくなるほど、水が臭気化合物を捕捉する量が増加するため、接触手段はエアー中に水を散水する手段であることが好ましい。そして、散水手段は、散水された水の表面積が大きくなる手段であることが好ましい。すなわち、接触手段は、エアー中に水滴を噴霧する噴霧装置であることや、通気性をもつ通風材と通風材表面に水を供給する供給手段とから構成される装置であることが好ましい。
【００１３】
振動付与手段は、接触手段において臭気化合物を捕捉した水に超音波振動を付与する手段である。振動付与手段により臭気化合物を捕捉した水に振動を付与することで、臭素化合物が分解され浄化できる。具体的には、臭気化合物が溶解あるいは分散した水に超音波振動を付与すると、超音波振動により水に粗の部分と密の部分とが発生する。そして、粗の部分においては、圧力が蒸気圧以下となりキャビテーション気泡が発生する。このとき、発生した気泡中に臭気化合物も移動する。その後、キャビテーション気泡は、超音波振動の密の部分に曝される。密の部分に曝されると、キャビテーション気泡は急速に収縮し、断熱圧縮により局所的に高温・高密度となる（数百気圧、数千度）。局所的に生じた高温・高密度な条件により気泡中あるいは界面に存在する水分子からヒドロキシラジカル（ＯＨ・）が発生する。そして、発生したヒドロキシラジカルが臭気化合物と反応し、臭気化合物を酸化分解する。
【００１４】
振動付与手段により付与される振動数は、臭気化合物を分解できる振動数であれば特に限定されるものではないが、振動数が高ければ高いほど好ましい。超音波振動は、２０ＫＨｚ以上の振動であることが好ましい。２０ＫＨｚ以上となることで可聴域以上の振動となり、振動付与手段の作動時の騒音が聞こえなくなる。
【００１５】
振動付与手段は、臭気化合物を捕捉した水を貯留する水槽と、水槽と一体にもうけられ水槽を振動させる超音波振動子と、を有することが好ましい。水槽で臭気化合物を捕捉した水を集積貯留し、この水槽を振動させることで、多数の臭気化合物を捕捉した水に超音波振動をムラなく付与することが可能となる。また、超音波振動子の数は限定されるものではないが、一つであることが好ましい。一つの超音波振動子で水槽を振動させることができるため、超音波振動子の数が増加することにより生じる空気清浄器の体格の粗大化や制御に要するコストの上昇が抑えられる。
【００１６】
水槽を構成する材質については特に限定されるものではないが、超音波振動子により付与された超音波振動を貯留した水に伝達できる材質よりなる。すなわち、剛性を有する材質よりなることが好ましい。このような材質としては、樹脂、金属、ガラス繊維強化樹脂などのコンポジット材料等をあげることができる。超音波を反射することが可能であることから、金属を用いることが好ましい。
【００１７】
超音波振動子についても所望の振動を付与できる振動子であれば特に限定されるものではない。たとえば、磁歪振動子や電歪振動子を用いることができる。
【００１８】
接触手段は、その外表面に沿って水が流れる通気性をもつ捕集部材と、捕集部材の表面に水を供給する水供給装置と、を有することが好ましい。捕集部材を有することで、臭気化合物を捕捉した水をすばやく集めることができ、振動付与手段に水を導くことができる。また、捕集部材の表面で水による臭気化合物の捕捉を行うことができる。さらに、捕集部材を有することで、エアーの流れにのって外部に散水された水が漏出することを抑えることができる。捕集部材は、表面を水が流れることができる通気性をもつ部材であれば特に限定されるものではない。たとえば、セルロース、布、多孔性セラミックス等の透水性をもつ材質よりなるコルゲート、プリーツ、ハニカムや、金属、樹脂、セラミックス等の透水性をもたない材質よりなるコルゲート、ハニカム等をあげることができる。表面に沿って流れ落ちた水が水槽内に落下することから、捕集部材は水槽に貯留した水の液面の上方に間隔を隔てた状態で配置されたことが好ましい。捕集部材が振動を反射できる材質よりなるときには、捕集部材が水に付与された視運動を吸収しないため捕集部材の下端が水槽に貯留した水に浸漬してもよい。水供給手段は、捕集部材の表面に水を供給できる装置であれば特に限定されるものではない。また、水供給手段が捕集部材の表面に水を供給する形態についても特に限定されるものではない。たとえば、捕集部材と間隔を隔てた位置に噴霧口が開口した水滴を噴霧する噴霧装置や、捕集部材の上方あるいは上部に水が出るノズルをもうける装置等の装置をあげることができる。
【００１９】
振動付与手段は、通気性を有し、臭気化合物を捕捉した水が付着する通気性部材と、通気性部材を振動させる超音波振動子と、を有することが好ましい。ここで、通気性部材は、上記した捕集部材と同様に、水を捕捉する。すなわち、接触手段により散水された水が臭気化合物を捕捉した状態で通気性部材に付着し、この通気性部材の表面で超音波振動が付与されることとなる。通気性部材を振動させることで、臭気化合物を捕捉した水を集積貯留する必要がなくなり、空気清浄器の体格の粗大化を抑えることができる。さらに、臭気化合物を捕捉した水を貯留する必要がなくなるため、空気清浄器の設置の自由度が向上する効果を示す。
【００２０】
通気性部材を構成する材質については特に限定されるものではないが、超音波振動子により付与された超音波振動を表面に付着した水に伝達できる材質よりなる。すなわち、剛性を有する材質よりなることが好ましい。このような材質としては、樹脂、金属、ガラス繊維強化樹脂などのコンポジット材料等をあげることができる。超音波を反射することが可能であることから、金属を用いることが好ましい。
【００２１】
超音波振動子についても所望の振動を付与できる振動子であれば特に限定されるものではない。たとえば、磁歪振動子や電歪振動子を用いることができる。
【００２２】
臭気化合物を捕捉した水であって超音波振動を付与された水を接触手段に循環する循環手段を有することが好ましい。循環手段を有することで、分解された臭気化合物を含む水を接触手段に送り、新たに臭気化合物を捕捉させることができる。循環手段を有することで、新たな水の補給が必要でなくなる。
【００２３】
エアーの流れ方向の下流にミスト除去手段をもつことが好ましい。ミスト除去手段を有することで、接触手段から散水された水や臭気化合物を捕捉した水がエアーの流れにのって空気清浄器の外部に漏れなくなる。ここで、ミスト除去手段は、上記した捕集部材として用いてもよい。また、ミスト除去手段によりエアーから除去された水は、振動付与手段に送られ、超音波振動が付与されることが好ましい。
【００２４】
接触手段に臭気化合物を含むエアーを送風する送風手段を有することが好ましい。送風手段を有することで、接触手段にエアーを供給でき、気液接触により接触手段により散水された水に臭気化合物を捕捉させることができる。
【００２５】
接触手段は、エアー中の水を凝縮させる凝縮手段であることが好ましい。エアー中の水を凝縮しこの水に臭気化合物を捕捉させることは、空気清浄器にあらかじめ水を準備する必要がなくなる。すなわち、空気清浄器の体格を低減できると共にコストを低下させることができる。
【００２６】
凝縮手段は、エアー中の水を凝縮させることができる手段であれば特に限定されるものではない。たとえば、空調装置等の熱交換器、ペルチェ素子、あるいはこれらの冷却面に取り付けられた熱交換器をあげることができる。
【００２７】
振動付与手段は、凝縮手段と一体にもうけられ凝縮手段を振動させる超音波振動子であることが好ましい。凝縮手段を振動させることで、凝縮手段において凝縮されエアーと接触してエアー中の臭気化合物をその場で分解浄化できる。
【００２８】
本発明の空気清浄器は、空調装置と一体に用いられることが好ましい。
【実施例】
【００２９】
以下、実施例を用いて本発明を説明する。
【００３０】
本発明の実施例として、空気清浄器を作製した。
【００３１】
（実施例１）
実施例の空気清浄器の構成を図１に示した。図１にその構成を示したように、本実施例において作製された空気清浄器は、浄化される空気および浄化されたエアーが流れるエアー流路を区画する略筒状の通風管１と、通風管１の一方の開口部１０にもうけられ通風管１の外部の空気を通風管１内に導入し導入された空気を通風管１内に流すファン１５と、通風管１内であってファン１５の下流側に配設された不織布よりなる集塵フィルタ１６と、通風管１内であって集塵フィルタ１６の下流側の位置に配設された水を噴霧する散水装置２と、散水装置２の下方に配設され散水装置２から散水された水を貯留する水槽３と、先端部が水槽３の底面部に当接した状態で配設された超音波振動子４と、通風管１内の散水装置２の下流側に配設されたミスト除去フィルタ５と、水槽３から接触手段２に水を供給する循環手段６と、をもつ。また、図２に、本実施例の空気清浄器の散水装置２、水槽３および超音波振動子４近傍の構成を示した。
【００３２】
散水装置２は、略鉛直下方に向かって水を微細な液滴状態で噴霧する。
【００３３】
水槽３は、金属よりなる槽状を有し、散水装置２の鉛直下方にその開口部が開口した状態でもうけられている。水槽３は、散水装置２から噴霧された液滴が上部の開口部からその内部に入る。
【００３４】
超音波振動子４は、図３に示したように、先端部が水槽３の底面部に当接した状態で配設されている。超音波振動子４は、水槽３の底面に対して垂直な方向（図３の上下方向）に振動する。超音波振動子４は、図示されない制御手段により振動が制御されており、２０ＫＨｚ以上の周波数で振動する。
【００３５】
ミスト除去フィルタ５は、散水装置２の下流側であって、水槽３の開口部の上方に配設されている。すなわち、ミスト除去フィルタ５に付着した水滴は、自身の重さによりミスト除去フィルタ５の表面に沿って流れ落ち、水槽３内にためられる。
【００３６】
循環手段６は、水槽３に溜まり臭気化合物が分解された水を散水装置２に供給する。循環手段６は、水槽３と散水装置２とをつなぐ管路６０と、管路６０内にもうけられ水槽３から散水装置２に向かって管路６０内に水を流すポンプ６１と、を有する。
【００３７】
本実施例の空気清浄器の動作を以下に説明する。
【００３８】
まず、ファン１５を稼働させて通風管１内に浄化される臭気化合物を含むエアーを一方の開口部１０から導入する。通風管１内に導入されたエアーは、空気流路を進み、集塵フィルタ１６を透過する。エアー中の大きなほこりは、集塵フィルタ１６の不織布の繊維のすき間を透過することができない。このため、集塵フィルタ１６を透過したエアーは大きなほこりが除去される。集塵フィルタ１６を透過したエアーは、大きなほこりは除去されたが臭気化合物は除去されない。そして、空気流路に沿って流れ、散水装置２，水槽３が設置された部分に到達する。
【００３９】
散水装置２は、下方に向かって水を微少な水滴で噴霧する。散水装置２から噴霧された水滴が落下する中を臭気化合物を含むエアーが通過する。そして、エアー中の臭気化合物が水滴と接触し、臭気化合物が水滴中に溶解あるいは分散し、臭気化合物が水滴に捕捉される。臭気化合物を捕捉した水滴は、さらに落下を続け、水槽３に落ち入り、貯留される。また、エアーの流れにのって下流側に流れた水滴は、ミスト除去フィルタ５と当接し、その表面に付着する。ミスト除去フィルタ５の表面に付着した水滴は、ミスト除去フィルタ５の表面に沿って下方に流れ落ち、水槽３内に貯留される。
【００４０】
水槽３は、図３に示したように、その底面に超音波振動子４の先端部が当接している。そして、超音波振動子４が超音波振動を発生すると、振動は水槽３を介して水槽３に貯留した水に伝達される。そして、水槽３に貯留された水は、超音波振動により部分的に粗の部分が発生し、キャビテーション気泡が発生する。このとき、発生した気泡中に臭気化合物も移動する（図４（ａ））。その後、キャビテーション気泡は、超音波振動の密の部分に曝される。密の部分に曝されると、キャビテーション気泡は急速に収縮し、断熱圧縮により局所的に数百気圧、数千度の高温・高密度となる（図４（ｂ））。局所的に生じた高温・高密度な条件により気泡中あるいは界面に存在する水分子からヒドロキシラジカル（ＯＨ・）が発生する。そして、発生したヒドロキシラジカルが臭気化合物と反応し、臭気化合物を酸化分解する（図４（ｃ））。
【００４１】
超音波振動により臭気化合物が分解した分解生成物を含む水は、循環手段６により散水装置２に送られる。そして、散水装置２から、再び噴霧され臭気化合物の捕捉に用いられる。
【００４２】
そして、散水装置２から散水された水により臭気化合物が捕捉されて臭気化合物が除去されたエアーは、ミスト除去フィルタ５を透過することで水滴も除去され、通気管１の他方の開口部１１から外部に放出される。
【００４３】
本実施例の空気清浄器は、臭気化合物を捕捉した水に超音波振動を付与することで捕捉された臭気化合物を分解浄化している。すなわち、水以外の薬剤を必要としていない。このことは、薬剤が外部に漏出することによる二次汚染を生じさせない効果を示している。また、薬剤を必要としないことで、薬剤に要していたコストを必要としなくなるため、空気清浄器のコストを低減できる効果を示している。さらに、薬剤の貯留や保持が必要でなくなることから、貯留や保持のためのスペースをなくすことができ、空気清浄器の体格を低減できる効果を示している。
【００４４】
（実施例２）
本実施例は、超音波振動子４の配置の形態が異なる以外は実施例１と同様な構成の空気清浄器である。図５に本実施例の空気清浄器の超音波振動子４および水槽３の構成を示した。なお、本実施例において用いられる各部材は、実施例１において用いられた部材と同じ部材を用いた。
【００４５】
本実施例の超音波振動子４は、その先端部が水槽３の底面から突出した位置で底面部と当接するように配設されている。また、水槽３の底面部は、超音波振動子４の突出した形状に合わせて凸となる突部が形成されている。
【００４６】
本実施例は、超音波振動子４の超音波振動が水槽３の突出部の側壁面からも付与されることから、超音波振動の伝達効率が向上している。
【００４７】
（実施例３）
本実施例は、散水装置２が流水状態で水を流出させ、散水装置２の下方でありかつ水槽３内の水の液面から間隔を隔てて配設された捕集部材７と、をもつとともに、ミスト除去フィルタをもたない以外は実施例１と同様な構成の空気清浄器である。図６に本実施例の空気清浄器の接触手段２、水槽３および捕集部材７の構成を示した。なお、本実施例において用いられる各部材は、実施例１において用いられた部材と同じ部材を用いた。
【００４８】
本実施例の空気清浄器において、散水装置２は、流水状態の水を下方に流出させる。ここで、流水状態とは、散水装置２から流出した時点で水が液滴状をなしていない状態を示す。また、捕集部材７は、プリーツ状に曲成された布よりなる。
【００４９】
本実施例の空気清浄器は、接触手段２から流出した水が捕集部材７の表面に沿って流れ落ちる。水は捕集部材７の表面に沿って流れ落ちる間に捕集部材７の表面においてエアーと気液接触を生じ、エアー中の臭気化合物が水に捕捉される。水は臭気化合物を捕捉した後も捕集部材７の表面を流れ落ちる。そして、捕集部材７の下端から水槽３内に落下し、水槽３内に貯留され、超音波振動子４に付与された振動により臭気化合物が分解浄化される。
【００５０】
すなわち、本実施例の空気清浄器は、散水装置２が微少な水滴を噴霧する必要がないため、噴霧するために要する高圧ポンプが必要でないため散水装置２の構造を簡素化することができる。さらに、微少な液滴を用いないため、ミスト除去フィルタを必要としない。すなわち、本実施例の空気清浄器を低コストで製造することができるとともにその維持のコストを低減できることができる。
【００５１】
（実施例４）
本実施例は、散水装置２が流水状態で水を流出させ、散水装置２の下方でありかつ水槽３内の水の液面から間隔を隔てて配設された通気性部材８と、をもつとともに、超音波振動子４が通気性部材８を振動させる構成とした以外は実施例３と同様な構成の空気清浄器である。図７に本実施例の空気清浄器の接触手段２、水槽３、超音波振動子４および通気性部材８の構成を示した。なお、本実施例において用いられる各部材は、実施例３において用いられた部材と同じ部材を用いた。
【００５２】
本実施例の空気清浄器において、散水装置２は、流水状態の水を下方に流出させる。ここで、流水状態とは、散水装置２から流出した時点で水が液滴状をなしていない状態を示す。また、通気性部材８は、多孔性セラミックスよりなるハニカム担体である。
【００５３】
本実施例の空気清浄器は、接触手段２から流出した水が通気性部材８の表面に沿って流れ落ちる。水は通気性部材８の表面に沿って流れ落ちる間に通気性部材８の表面においてエアーと気液接触を生じ、エアー中の臭気化合物が水に捕捉される。水は臭気化合物を捕捉した後も通気性部材８の表面を流れ落ちる。このとき、超音波振動子４が通気性部材８を振動させているため、通気性部材８の表面で水中の臭気化合物が分解される。そして、通気性部材８の下端から水槽３内に落下し、水槽３内に貯留され、循環手段６により再度散水装置２に送られ浄化が行われる。
【００５４】
すなわち、本実施例の空気清浄器は、散水装置２が微少な水滴を噴霧する必要がないため、噴霧するために要する高圧ポンプが必要でないため散水装置４の構造を簡素化することができる。微少な液滴を用いないため、ミスト除去フィルタを必要としない。さらに、通気性部材８のみを振動させるため、水槽３を振動させるよりも振動する部位が少なくなり、捕手および維持が容易となる。すなわち、本実施例の空気清浄器を低コストで製造することができるとともにその維持のコストを低減できることができる。
【００５５】
（実施例５）
実施例の空気清浄器の構成を図８に示した。図８にその構成を示したように、本実施例において作製された空気清浄器は、浄化される空気および浄化されたエアーが流れるエアー流路を区画する略筒状の通風管１と、通風管１の一方の開口部１０にもうけられ通風管１の外部の空気を通風管１内に導入し導入された空気を通風管１内に流すファン１５と、通風管１内であってファン１５の下流側に配設された不織布よりなる集塵フィルタ１６と、通風管１内であって集塵フィルタ３の下流側の位置に冷却面９ａが通風管１の外部に加熱面９ｂが配設されたペルチェ素子９と、先端部がペルチェ素子９に当接した状態で配設された超音波振動子４と、をもつ。なお、本実施例を構成する部材は、特に限定されるものではなく、市販のペルチェ素子および上記実施例１〜４において用いられた部材を使用した。
【００５６】
本実施例の空気清浄器は、実施例１のときと同様にファン１５を稼働させて通風管１内に浄化される臭気化合物を含むエアーを導入し、集塵フィルタ１６を透過させる。
【００５７】
集塵フィルタ１６を透過したエアーは、ペルチェ素子９がもうけられた位置に到達する。ペルチェ素子９は通電されており、通風管１内に位置する冷却面９ａは温度が低下している。このため、冷却面９ａと当接するエアーは、ペルチェ素子９により冷却され、飽和水蒸気圧が低下することで、エアー中の水分が冷却面９ａに凝縮する。そして、冷却面９ａ表面に凝縮した水は、エアー中の臭気化合物を捕捉する。これにより、ペルチェ素子９の冷却面９ａの表面上に臭気化合物を捕捉した水が存在するようになる。
【００５８】
そして、超音波振動子４がペルチェ素子９を振動させる。ペルチェ素子９が振動すると、その振動は冷却面９ａの表面上に存在する水にも伝わり、水中の臭気化合物が無害な分解生成物に分解される。そして、実施例の空気清浄器の外部に放出される。
【００５９】
本実施例の空気清浄器は、エアー中の水を凝縮しこの水に臭気化合物を捕捉させることは、空気清浄器にあらかじめ水を準備する必要がなくなる。すなわち、空気清浄器の体格を低減できると共にコストを低下させることができる。
【００６０】
（実施例６）
本実施例は、ペルチェ素子９の冷却面９ａおよび加熱面９ｂに熱交換器９０、９１を取り付けた以外は、実施例５と同様な構成の空気清浄器である。図９に本実施例の空気清浄器の主な構成を示した。なお、本実施例において用いられる各部材は、実施例５において用いられた部材と同じ部材を用いた。
【００６１】
熱交換器９０、９１は、高い熱伝導性をもつ金属よりなり、ペルチェ素子９の冷却面９ａおよび加熱面９ｂに取り付けられている。また、熱交換器９０は、通風管１の内周形状と略一致する見かけ上の外周形状を有している。すなわち、ペルチェ素子９が配設された部分においては、通風管１の内部には熱交換器９０が充填されている。
【００６２】
本実施例は、ペルチェ素子９に付与された超音波振動がペルチェ素子９を介して熱交換器９０にエアー中の水分の凝縮および臭気化合物の分解が熱交換器９０の表面で進行する以外は、実施例５と同様にして臭気化合物の分解浄化を行う。
【００６３】
本実施例の空気清浄器は、臭気化合物を含むエアーと凝縮水との接触面積が大きくなっており、臭気化合物の分解量が増加している。
【００６４】
（実施例７）
本実施例は、車両用空調装置と一体にもうけられた空気清浄器である。本実施例の車両用空調装置および空気清浄器の構成を図１０に示した。
【００６５】
本実施例は、エアー導入口１３とエアー排出口１４とを備えたエアー流路を区画するケース１２と、ケース１２内に配設されたエアー導入口１３から臭気化合物を含むエアーを導入するシロッコファン１７と、エアーの流れにおいてシロッコファン１７の下流側に配設されたエバポレータ９２と、エバポレータ９２と一体にもうけられエバポレータ９２に超音波振動を付与する超音波振動子４と、を有する。また、本実施例は、車両用空調装置と一体にもうけられた空気清浄器であるため、ヒーターＨやエアミックスドア（図示せず）等の部材を有する。
【００６６】
本実施例は、実施例６と同様に、凝縮水の生成と臭気化合物の分解が同時に行われている。この結果、実施例５および６と同様な効果を発揮する。
【図面の簡単な説明】
【００６７】
【図１】実施例１の空気清浄器の構成を示した図である。
【図２】実施例１の空気清浄器の臭気化合物の分解を行う部分の構成を示した図である。
【図３】実施例１の空気清浄器の超音波振動子の配置された状態を示した図である。
【図４】超音波振動による臭気化合物の分解の様子を模式的に示した図である。
【図５】実施例２の空気清浄器の超音波振動子の配置された状態を示した図である。
【図６】実施例３の空気清浄器の臭気化合物の分解を行う部分の構成を示した図である。
【図７】実施例４の空気清浄器の臭気化合物の分解を行う部分の構成を示した図である。
【図８】実施例５の空気清浄器の構成を示した図である。
【図９】実施例６の空気清浄器の構成を示した図である。
【図１０】実施例７の空気清浄器の構成を示した図である。
【符号の説明】
【００６８】
１…通風管                      １０，１１…開口部
１２…ケース                    １３…エアー導入口
１４…エアー排出口              １５…ファン
１６…集塵フィルタ              １７…シロッコファン
２…散水装置
３…水槽
４…超音波振動子
５…ミスト除去フィルタ
６…循環手段
７…捕集部材
８…通気性部材
９…ペルチェ素子              ９０、９１…熱交換器
９２…エバポレータ
【図１】
2006068045.tif 000002
【図２】
2006068045.tif 000003
【図３】
2006068045.tif 000004
【図４】
2006068045.tif 000005
【図５】
2006068045.tif 000006
【図６】
2006068045.tif 000007
【図７】
2006068045.tif 000008
【図８】
2006068045.tif 000009
【図９】
2006068045.tif 000010
【図１０】
2006068045.tif 000011